(57)【要約】      （修正有）【課題】建築、構築物に用いる乾式壁材の長手方向の端部を付き合わせてできる出隅部が、出隅を形成する化粧キャップを敷目板に嵌合する際に、嵌合が確実かつ強固になる出隅部構造を提供する。【解決手段】敷目板Ｂは水平部１と嵌合部４とから形成し、水平部１は水平面状の固定片２を略９０度に形成し、嵌合部４は水平部１のほぼ中央部分を上方に屈曲して形成した２本のガイド片５と、両ガイド片５の先端を内側方に屈曲し先端を内方に屈曲して断面略Ｕ字状の嵌合溝６を形成し、嵌合溝６内に突出した嵌合爪７とから形成した長尺状部材からなり、化粧キャップＣは水平面状の化粧面部８と、化粧面部８を略９０度に形成し、裏面中央に長手方向に突出した係合部９から形成し、係合部９は化粧面部８の裏面中央に突出可能な位置を４５度で適宜間隔で屈曲した立ち上がり部１０と、立ち上がり部１０の先端近傍に外側方に突出して形成した係合片から形成する。【選択図】図２
2018123479.tif 000002
【特許請求の範囲】
【請求項１】
乾式壁材の化粧面部の出隅部をカバーする出隅用ジョイナにおいて、出隅用ジョイナは長尺状の敷目板と短尺状の化粧キャップとからなり、敷目板は水平部と嵌合部とから形成し、水平部は水平面状の固定片を略９０度に形成し、嵌合部は水平部のほぼ中央部分を上方に屈曲して形成した２本のガイド片と、両ガイド片の先端を内側方に屈曲し先端を内方に屈曲して断面略Ｕ字状の嵌合溝を形成し、嵌合溝内に突出した嵌合爪とから形成した長尺状部材からなり、化粧キャップは水平面状の化粧面部と、化粧面部を略９０度に形成し、裏面中央に長手方向に突出した係合部から形成し、係合部は化粧面部の裏面中央に突出可能な位置を４５度で適宜間隔で屈曲した立ち上がり部と、立ち上がり部の先端近傍に外側方に突出して形成した係合片から形成すると共に、化粧キャップの係合部の根元に空間を形成すると共に、化粧面裏面と立ち上がり部間をアール状にした出隅用ジョイナからなり、壁下地の出隅部に施工された敷目板の嵌合部に化粧キャップの係合部を嵌合することにより乾式壁材の出隅部をカバーする出隅部構造。
【発明の詳細な説明】
【技術分野】
【０００１】
本発明は建築、構築物に用いる乾式壁材の長手方向の端部を付き合わせてできる出隅部の構造に関するものである。さらに詳しくは、出隅を形成する化粧キャップを敷目板に嵌合する際に、嵌合が確実かつ強固になる出隅部構造に関するものである。
【背景技術】
【０００２】
一般に金属板を表面材とし、合成樹脂発泡体を芯材とし、シート状物を裏面材としたサンドイッチ構造の乾式壁材、あるいは無機系の材料からなる乾式壁材を用いて横張り状に壁体を形成した場合には、乾式壁材の長手方向の突き合わせにより出隅部が形成され、出隅部はＬ型の出隅材・入隅材を脳天打ちしたり、敷目板と化粧キャップの２部材の嵌合により出隅部を形成する方法がある。（特許文献１〜２参照）
【先行技術文献】
【特許文献】
【０００３】
【特許文献１】特開２０００−００１９６４号公報
【特許文献２】特開２０１５−１７５２０７号公報
【発明の概要】
【発明が解決しようとする課題】
【０００４】
特許文献１〜２は、敷目板と化粧キャップの２部材の嵌合により出隅部を形成する方法である。引用文献１は成形に余裕がなく化粧面となる第１壁部と第２壁部が施工時に変形することにより施工されるものである。また、引用文献２は壁下地に取り付けられたジョイナに目地キャップを嵌合する外壁材の接続部材に関するものであるが、これも化粧面が施工時に変形することにより施工されるものである。このために、各化粧面となる角度を９０度に保つことが困難であった。
【課題を解決するための手段】
【０００５】
本発明はこのような課題を解決するために、乾式壁材の化粧面部の出隅部をカバーする出隅用ジョイナにおいて、出隅用ジョイナは長尺状の敷目板と短尺状の化粧キャップとからなり、敷目板は水平部と嵌合部とから形成し、水平部は水平面状の固定片を略９０度に形成し、嵌合部は水平部のほぼ中央部分を上方に屈曲して形成した２本のガイド片と、両ガイド片の先端を内側方に屈曲し先端を内方に屈曲して断面略Ｕ字状の嵌合溝を形成し、嵌合溝内に突出した嵌合爪とから形成した長尺状部材からなり、化粧キャップは水平面状の化粧面部と、化粧面部を略９０度に形成し、裏面中央に長手方向に突出した係合部から形成し、係合部は化粧面部の裏面中央に突出可能な位置を４５度で適宜間隔で屈曲した立ち上がり部と、立ち上がり部の先端近傍に外側方に突出して形成した係合片から形成すると共に、化粧キャップの係合部の根元に空間を形成すると共に、化粧面裏面と立ち上がり部間をアール状にした出隅用ジョイナからなり、壁下地の出隅部に施工された敷目板の嵌合部に化粧キャップの係合部を嵌合することにより乾式壁材の出隅部をカバーする出隅部構造を提供するものである。
【発明の効果】
【０００６】
以上説明したように、本発明に係る出隅部構造によれば、化粧キャップの係合部の根元に空間を形成すると共に、化粧面裏面と立ち上がり部間をアール状に形成することにより、（１）敷目板に化粧キャップを嵌合する際に、空間内において化粧キャップの立ち上がり部が変形できるために、スムーズな嵌合が可能となる。また、（２）空間内にて変形が可能なために、化粧キャップの変形が防止でき、化粧面部間の角度を化粧キャップ加工時の９０度に保つことが可能である。等の特徴、効果がある。
【図面の簡単な説明】
【０００７】
【図１】本発明に係る出隅部構造の一実施例を示す断面図である。
【図２】本発明に係る出隅部構造に使用する敷目板と化粧キャップの一実施例を示す断面図である。
【図３】本発明に係る出隅部構造に使用する化粧キャップの一実施例を示す斜視図である。
【図４】本発明に係る出隅部構造に使用する化粧キャップの一実施例を示す斜視図である。
【図５】本発明に係る出隅部構造に使用する乾式壁材の一実施例を示す断面図である。
【図６】本発明に係る出隅用ジョイナに使用する化粧キャップのその他の実施例を示す斜視図で
【発明を実施するための形態】
【実施例】
【０００８】
以下に図面を用いて本発明に係る出隅部構造の代表的な実施例について詳細に説明する。図１は本発明に係る出隅部構造を示す断面図であり、Ａは出隅用ジョイナ、Ｂは敷目板、Ｃは化粧キャップ、Ｄは乾式壁材、αは壁下地、βは固定具である。
【０００９】
図２は本発明に係る出隅部構造に使用する敷目板Ｂ、化粧キャップを示す断面図、図３（ａ）、（ｂ）は化粧キャップを示す斜視図、図４（ａ）、（ｂ）は化粧キャップを示す一部切り欠き斜視図、図５は乾式壁材Ｄを示す断面図である。
【００１０】
さらに詳説すると、出隅用ジョイナＡは金属製薄板材、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、合成樹脂製板材、例えば塩化ビニル樹脂、ポリカーボネイト樹脂等（勿論、これらを各種色調に塗装したカラー板を含む）の一種をロール成形、プレス成形、等によって各種形状に成形ものである。
【００１１】
敷目板Ｂは長尺状板材であり、図２（ａ）に示すように水平部１と嵌合部４とから形成したものである。さらに詳説すると、水平部１は水平面状の固定片２と、固定片２の先端をはぜ状に屈曲した舌片３とから形成したものである。また、嵌合部４は水平部１のほぼ中央部分を上方に屈曲して形成した２本のガイド片５と、両ガイド片５の先端を内側方に屈曲し先端を内方に屈曲して断面略Ｕ字状の嵌合溝６を形成し、嵌合溝６内に突出した嵌合爪７とから形成したものである。この嵌合部４は後記する化粧キャップＣの係合部９を係合する部分である。
【００１２】
化粧キャップＣは乾式壁材Ｄの化粧面および断面形状によって定めるものであり、図５に示すような乾式壁材Ｄを使用して壁体を形成する場合には、図３（ａ）、（ｂ）に示すような化粧キャップＣとなる。
【００１３】
さらに詳説すると、化粧キャップＣは乾式壁材Ｄの化粧面Ｄ１と化粧目地Ｄ２と同形状に形成した狭い幅の化粧面８ａと化粧目地８ｂよりなる化粧面部８と、化粧面部８の裏面中央に長手方向に突出した係合部９から形成したものであり、化粧面部８は図１に示すように、乾式壁材Ｄの端部を被覆し意匠性、防水性を向上する部分である。
【００１４】
係合部９は化粧面部８の裏面中央に突出可能な位置を９０°で適宜間隔で屈曲した立ち上がり部１０と、立ち上がり部１０の先端近傍に外側方に突出して形成した係合片１１からなり、係合片１１は敷目板Ｂの嵌合爪７に係合され、化粧キャップＣを壁下地αに固定するためのものである。なお、図では成形加工上、化粧面８ａの裏面部分にのみ係合部９を形成している。また、１２ａは固定孔であり、固定具βで化粧キャップＣに上端を壁下地αに固定するための部分である。
【００１５】
化粧面裏面８ａと立ち上がり部１０間は図に示すようにアール状に形成することにより空間Ｋを形成するものである。
【００１６】
このように、係合部９の根元に空間Ｋを形成すると共に、化粧面裏面８ａと立ち上がり部１０間は図に示すようにアール状に形成することにより、図１に示すように敷目板Ｂに化粧キャップＣを嵌合する際に、空間Ｋ内において化粧キャップＣの立ち上がり部１０が変形できるために、スムーズな嵌合が可能となるものである。また、空間Ｋ内にて変形が可能なために、化粧キャップＣの変形が防止でき、化粧面部８間の角度を化粧キャップＣ加工時の９０度に保つことが可能である。
【００１７】
防水片１２は化粧面部８の上端部分をさらに上方に突出して形成したものであり、乾式壁材Ｄ同士の連結溝内に挿入される部分である。
【００１８】
目地カバー片１３は化粧面部８の下端部分を内方に屈曲して形成したものであり、乾式壁材Ｄの横目地部分を被覆するものである。
【００１９】
化粧キャップＣの化粧面部８の断面形状は乾式壁材Ｄの化粧面部１４の断面形状と同一とするものである。
【００２０】
乾式壁材Ｄは図５に示すように、化粧面Ｄ１と化粧目地Ｄ２を形成した雄雌嵌合構造の乾式壁材Ｄであり、金属系サイディング材、窯業系サイディング材、セラミック、等より成形したものである。
【００２１】
図６（ａ）、（ｂ）は、化粧キャップＣのその他の実施例を示す斜視図であり、係合部９を連続状で形成したものである。
【符号の説明】
【００２２】
Ａ  出隅用ジョイナ
Ｂ  敷目板
Ｃ  化粧キャップ
Ｄ  乾式壁材
Ｄ１  化粧面
Ｄ２  化粧目地
Ｋ  空間
α  壁下地
β  固定具
１  水平部
２  固定片
３  舌片
４  嵌合部
５  ガイド片
６  嵌合溝
７  嵌合爪
８  化粧面部
８ａ  化粧面
８ｂ  化粧目地
８ｃ  化粧面裏面
９  係合部
１０  立ち上がり部
１１  係合片
１２  防水片
１２ａ  固定孔
１３  目地カバー片
１４  化粧面部
【図１】
2018123479.tif 000003
【図２】
2018123479.tif 000004
【図３】
2018123479.tif 000005
【図４】
2018123479.tif 000006
【図５】
2018123479.tif 000007
【図６】
2018123479.tif 000008